(57)【要約】      （修正有）【課題】  小型化と共に薄型化を図りながら十分な強度を保証する。【解決手段】  下ハーフ４の一の側面の両側にそれぞれ構成された立ち上がり周壁１７と収納部形成壁２２とに囲まれた領域のうちの一方の領域に第１の位置決め孔２５が形成された第１の筒状部２７が設けられ、他方の領域に第２の位置決め孔２６が形成された第２の筒状部２８が設けられ、第２の筒状部２８を下ハーフ４側の立ち上がり周壁１７及び／又は収納部形成壁２２に連結して形成されている。上ハーフ３には、筒状部２７，２８が当接される筒状の当接支持部３０，３１が設けられ、第２の当接支持部３１を上ハーフ３側の立ち上がり周壁１６及び／又は収納部形成壁２１に連結している。上下ハーフ３，４は、互いの立ち上がり周壁及び収納部形成壁を突き合わせ、第１及び第２の筒状部と第１及び第２の当接支持部を突き合わせ当接させて一体化されてカートリッジ本体を構成する。【選択図】  図１１
2005209272.tif 000002
【特許請求の範囲】
【請求項１】
互いに突き合わせ結合されてディスク状記録媒体を回転可能に収納するカートリッジ本体を構成する上下一対のハーフを有し、
上下ハーフの外周囲には互いに突き合わせられてカートリッジ本体の周壁を構成する立ち上がり周壁が形成されると共に、相対向する内面には互いに突き合わせられて上記ディスク状記録媒体を収納するためのディスク収納部を構成する収納部形成壁が形成され、
上記カートリッジ本体の一方の面を構成する上記下ハーフには、上記ディスク収納部に収納されたディスク状記録媒体を回転駆動するための回転駆動手段が臨む駆動用開口部と、上記ディスク状記録媒体に情報の記録及び／又は再生を行うための記録及び／又は再生手段を臨ませるための記録及び／又は再生用開口部とが形成されると共に、
上記下ハーフの一の側面の両側にそれぞれ構成された上記立ち上がり周壁と上記収納部形成壁とに囲まれた領域のうちの一方の領域に円形の第１の位置決め孔が形成された第１の筒状部が設けられ、他方の領域に長円形の第２の位置決め孔が形成された第２の筒状部が設けられ、少なくとも上記第２の筒状部を上記下ハーフ側の上記立ち上がり周壁及び／又は上記収納部形成壁に連結して形成してなり、
上記上ハーフには、上記第１及び第２の筒状部が当接される筒状の第１及び第２の当接支持部が設けられると共に、少なくとも上記第２の当接支持部を上記上ハーフ側の上記立ち上がり周壁及び／又は上記収納部形成壁に連結して形成してなり、
上記上下ハーフは、互いの上記立ち上がり周壁及び上記収納部形成壁を突き合わせると共に、上記第１及び第２の筒状部と上記第１及び第２の当接支持部を突き合わせ当接させて一体化されてカートリッジ本体を構成してなるディスクカートリッジ。
【請求項２】
上記下ハーフ側に設けた第１の筒状部は、上記上ハーフ側に設けた筒状の第１の当接支持部に係合して、上記上下ハーフの突き合わせ基準位置を規定していることを特徴とする請求項１記載のディスクカートリッジ。
【請求項３】
上記上ハーフ側に設けた筒状の第２の当接支持部内には、上記下ハーフ側に設けた第１の筒状部の先端部が当接する当接段部が形成されていることを特徴とする請求項２記載のディスクカートリッジ。
【請求項４】
上記上下ハーフは、合成樹脂により形成され、互いに突き合わせられる上記立ち上がり周壁の先端部を溶着して一体化されていることを特徴とする請求項２記載のディスクカートリッジ。
【請求項５】
上記カートリッジ本体は、上記第１及び第２の位置決め孔が設けられる側の面と対向する側の面を記録及び／又は再生装置への挿入端となし、上記挿入端側の面を上記カートリッジ本体に収納されたディスク状記録媒体の中心を中心とするほぼ半円の円弧状部としていることを特徴とする請求項１記載のディスクカートリッジ。
【請求項６】
上記上下ハーフの上記円弧状部を構成する側に位置する立ち上がり周壁は、上記カートリッジ本体の外周壁を構成すると共に、上記ディスク収納部の一部を構成する請求項５記載のディスクカートリッジ。
【発明の詳細な説明】
【技術分野】
【０００１】
本発明は、光ディスク等のディスク状記録媒体を収納したディスクカートリッジに関する。
【背景技術】
【０００２】
従来、光ディスク等のディスク状記録媒体を回転可能に収納し、ディスク状記録媒体を収納したままの状態で記録及び／又は再生装置に装着されるディスクカートリッジが広く用いられている。この種のディスクカートリッジは、ディスク状記録媒体をカートリッジ本体に収納することにより、ディスク状記録媒体の保護を図り、記録及び／又は再生装置への装脱を容易に行うことを可能としている。
【０００３】
この種のディスクカートリッジは、ディスク状記録媒体をカートリッジ本体に収納したままの状態で記録及び／又は再生装置に装着可能とすることから、カートリッジ本体には、ディスク状記録媒体を回転操作するためのディスク回転駆動機構を構成するターンテーブルを臨ませるための駆動用開口部と、ディスク状記録媒体の信号記録領域の一部を内外周に亘って外方に臨ませる記録及び／又は再生用開口部が設けられている。
【０００４】
なお、このディスクカートリッジには、カートリッジ本体に収納したディスク状記録媒体の保護を図るため、少なくとも記録及び／又は再生用開口部を開閉するシャッタ部材が設けられている。
【０００５】
また、この種のディスクカートリッジにおいて、ディスク状記録媒体を収納するカートリッジ本体には、合成樹脂を成型して形成した上下一対のハーフを突き合わせ結合して一体化したものが広く用いられている。
【０００６】
記録及び／又は再生装置の記録媒体として用いられるディスクカートリッジは、カートリッジ本体の下面側を装着基準面として記録及び／又は再生装置に装着される。そこで、カートリッジ本体の下面を構成する下ハーフに、駆動用開口部及び記録及び／又は再生用開口部が設けられ、更に、ディスク記録及び／又は再生装置側に設けられた装着位置を位置決めする位置決めピンが係合する位置決め孔が設けられている。また、上下ハーフの外周囲には、互いに突き合わせられて、カートリッジ本体の外周壁を構成する立ち上がり周壁が形成され、更に、立ち上がり周壁の内周側には、互いに突き合わせられてディスク収納部を構成する円弧状の収納部形成壁が連続し、若しくは不連続に形成されている。
【０００７】
ところで、光ディスク等のディスク状記録媒体においては、高記録密度化が図られ、記録密度の向上に伴って小径化が図られている。ディスク状記録媒体の小径化に伴って、このディスク状記録媒体を収納するディスクカートリッジも小型化が図られている。
【０００８】
ディスクカートリッジは、小型化に伴いその厚さも薄型化が図られている。ディスクカートリッジは、ディスク状記録媒体の収納空間を大きくしながら薄型化を図るため、カートリッジ本体を構成する上下ハーフの肉厚を薄くするようにしている。
【０００９】
そして、下ハーフ側に設けられる位置決め孔は、外周壁を構成する立ち上がり周壁と収納部形成壁とに囲まれた左右の領域に形成されている。これら領域は、下ハーフの平面であるディスク収納部の底面を構成する部分と同様に薄肉部とされている。
【００１０】
小型化が図られたディスクカートリッジにあっては、立ち上がり周壁と収納部形成壁とに囲まれた領域も小さいものであり、位置決め孔は立ち上がり周壁と収納部形成壁に近接して形成される。
【００１１】
そして、位置決め孔には、ディスク記録及び／又は再生装置側のカートリッジ装着部に設けた位置決めピンが係合する。位置決め孔の位置決めピンへの係合は、上昇位置にあるディスクカートリッジがカートリッジ装着部に降下していくことによって行われる。このとき、ディスクカートリッジは、カートリッジ装着部に対し水平に降下することなく、多くは前後左右及び厚さ方向に傾きながらカートリッジ装着部側に降下していく。このように、位置決めピンに対し傾いた状態でディスクカートリッジの降下が行われると、位置決めピンが位置決め孔に係合していくとき、その先端部が収納部形成壁や立ち上がり周壁などに当接して損傷を与えるおそれがある。特に、位置決めピンの先端部は、位置決め孔との係合を容易に行う得るようにするため、先端先細り状にしている。このような位置決めピンが当接すると、収納部形成壁や立ち上がり周壁は容易に損傷を受けてしまう。小型化が図られたディスクカートリッジにあっては、収納部形成壁や立ち上がり周壁は、他の部分と同様に薄肉に形成されているので、位置決めピンの当接で容易に損傷を受けてしまう。収納部形成壁が損傷を受けてしまうと、ディスク収納部に収納されるディスク状記録媒体の確実な保護が実現できなくなってしまう。
【００１２】
また、位置決めピンの先端が位置決め孔の周縁に接触しながら係合していくことによりとき、位置決め孔が形成された薄肉の部分を変形させてしまい装着位置の正確な位置決めができなくなるおそれがある。
【００１３】
また、位置決めピンと位置決め孔が係合していく過程で、位置決めピンが位置決め孔の周縁に強く当たることによりカートリッジ本体にクラック等を発生させるなどの損傷を与えてしまうおそれがある。
【００１４】
そこで、位置決め孔に周縁に肉厚の部分を設けるようにしたものが特許文献１に記載されている。この特許文献１に記載されるものは、位置決め孔の周縁に肉厚の部分を設けるのみであるので、位置決め孔周辺の強度を十分に保証することができないばかりか、位置決めピンとの正確な係合を図ることが困難である。特に、小型化と共に薄型化が図られたディスクカートリッジに適用することにより、カートリッジ本体の十分な強度を保証し、正確な位置決めを図ってカートリッジ装着部に装着可能とするディスクカートリッジを実現することが困難である。
【００１５】
【特許文献１】特開平１１−１４４４２４号
【発明の開示】
【発明が解決しようとする課題】
【００１６】
本発明の目的は、上述したような従来のディスクカートリッジが有する問題点を解決することができるディスクカートリッジを提供することにある。
【００１７】
本発明の他の目的は、小型化と共に薄型化を図りながら十分な強度が保証されたディスクカートリッジを提供することにある。
【００１８】
本発明の更に他の目的は、ディスク記録及び／又は再生装置側の位置決めピンに位置決め孔を正確に係合させ、正確な位置決めを図ってディスク記録及び／又は再生装置に装着することができるディスクカートリッジを提供することにある。
【課題を解決するための手段】
【００１９】
上述のような目的を達成するために提案される本発明に係るディスクカートリッジは、互いに突き合わせ結合されてディスク状記録媒体を回転可能に収納するカートリッジ本体を構成する上下一対のハーフを有し、上下ハーフの外周囲には互いに突き合わせられてカートリッジ本体の周壁を構成する立ち上がり周壁が形成されると共に、相対向する内面には互いに突き合わせられてディスク状記録媒体を収納するためのディスク収納部を構成する収納部形成壁が形成されている。そして、カートリッジ本体の一方の面を構成する下ハーフには、ディスク収納部に収納されたディスク状記録媒体を回転駆動するための回転駆動手段が臨む駆動用開口部と、ディスク状記録媒体に情報の記録及び／又は再生を行うための記録及び／又は再生手段を臨ませるための記録及び／又は再生用開口部とが形成されると共に、下ハーフの一の側面の両側にそれぞれ構成された立ち上がり周壁と収納部形成壁とに囲まれた領域のうちの一方の領域に円形の第１の位置決め孔が形成された第１の筒状部が設けられ、他方の領域に長円形の第２の位置決め孔が形成された第２の筒状部が設けられ、少なくとも第２の筒状部を下ハーフ側の立ち上がり周壁及び／又は収納部形成壁に連結して形成されている。また、上ハーフには、第１及び第２の筒状部が当接される筒状の第１及び第２の当接支持部が設けられると共に、少なくとも第２の当接支持部を上ハーフ側の立ち上がり周壁及び／又は収納部形成壁に連結して形成されている。上下ハーフは、互いの立ち上がり周壁及び収納部形成壁を突き合わせると共に、第１及び第２の筒状部と第１及び第２の当接支持部を突き合わせ当接させて一体化されてカートリッジ本体を構成している。
【００２０】
本発明に係るディスクカートリッジにおいて、下ハーフ側に設けた第１の筒状部は、上ハーフ側に設けた筒状の第２の当接支持部に係合して、上下ハーフの突き合わせ基準位置を規定する。ここで、上ハーフ側に設けた筒状の第２の当接支持部内には、下ハーフ側に設けた第１の筒状部の先端部が当接する当接段部が形成されている。
【００２１】
上下ハーフは、合成樹脂により形成され、互いに突き合わせられる立ち上がり周壁の先端部を溶着して一体化されてカートリッジ本体を構成する。
【００２２】
本発明に係るディスクカートリッジは、カートリッジ本体の第１及び第２の位置決め孔が設けられる側の面と対向する側の面を記録及び／又は再生装置への挿入端となし、挿入端側の面をカートリッジ本体に収納されたディスク状記録媒体の中心を中心とするほぼ半円の円弧状部としている。ここで、上下ハーフの円弧状部を構成する側に位置する立ち上がり周壁は、カートリッジ本体の外周壁を構成するとと共に、ディスク収納部の一部を構成する。
【発明の効果】
【００２３】
本発明に係るディスクカートリッジは、下ハーフ側に形成した第１及び第２の位置決め孔が形成された第１及び第２の筒状部の少なくとも一方が下ハーフ側の立ち上がり周壁及び／又は収納部形成壁に連結して形成されることにより、連結された筒状部及び筒状部の周縁の強度が増強され、更に、第１及び第２の筒状部が上ハーフ側の第１及び第２の当接支持部を突き合わせ当接させるので、位置決め孔の深さが深くなり、しかも、第１及び第２の筒状部のカートリッジ本体の平面に対する垂直度が維持でき、ディスク記録及び／又は再生装置側の位置決めピンと位置決め孔との正確な係合が実現可能となる。その結果、ディスク記録及び／又は再生装置に正確な位置決めを図った装着ができ、しかも、装着操作時に損傷の発生を抑え安全に装着操作を行うことができる。
【００２４】
そして、本発明は、位置決め孔周辺の強度が保証できることから、小型化と共に薄型化を図ったディスクカートリッジの一層の強度保証を実現し、信頼性を向上することができる。
【００２５】
また、下ハーフ側に設けた第１の筒状部を、上下ハーフを突き合わせ結合する際の突き合わせ基準位置を規定する基準部とすることにより、互いの位置ずれを防止して上下ハーフを正確に接合することができる。
【００２６】
更に、本発明は、突き合わせ基準位置を規定する基準部を備えると共に、上下ハーフを合成樹脂により形成し、立ち上がり周壁を溶着して結合するようにしているので、小型化されたディスクカートリッジを高精度にしかも確実に製造することができる。
【００２７】
更にまた、本発明は、記録及び／又は再生装置への挿入端側の面をカートリッジ本体に収納されたディスク状記録媒体の中心を中心とするほぼ半円の円弧状部としているので、収納するディスク状記録媒体の大きさに合わせて一層の小型化が実現される。
【００２８】
なお、本発明によって実現される更に具体的な利点は、以下に図面を参照して説明する実施の形態から一層明らかにされるであろう。
【発明を実施するための最良の形態】
【００２９】
以下、本発明に係るディスクカートリッジを図面を参照して具体的に説明する。
【００３０】
本発明に係るディスクカートリッジ１は、ディスク状記録媒体として、例えば、光ディスク２を回転可能に収納したものであって、図１及び図２に示すように、上下一対のハーフ３，４を突き合わせ結合したカートリッジ本体５を備え、このカートリッジ本体５内に光ディスク２を回転可能に収納している。
【００３１】
本発明に係るディスクカートリッジ１は、例えばテレビジョンゲームを実行するプログラムデータやビデオデータが記録された光ディスク２を収納したものであり、しかも、極めて小型に構成されている。このディスクカートリッジ１は、例えば、直径を５０ｍｍ程度とする小径の光ディスク２を収納したものであって、片手の掌に収納し得る程度の大きさに形成されている。
【００３２】
このディスクカートリッジ１を構成するカートリッジ本体５は、図１乃至図３に示すように、このディスクカートリッジ１が装脱されるディスク記録及び／又は再生装置への挿入端側となる一側面である前面側を円弧状部７として形成している。この円弧状部７は、図２に示すように、カートリッジ本体５のディスク収納部６に収納された光ディスク２の中心を中心Ｐ０として半径Ｒ１を一定にしたほぼ半円の円弧状に形成されている。すなわち、円弧状部７は、カートリッジ本体５に収納された光ディスク２の半円に相当する部分と対向するような半円として形成されている。
【００３３】
カートリッジ本体５の円弧状部７に連続する相対向する側面は、互いに平行な側面８，９として形成され、円弧状部７と対向する背面側は、なだらかに湾曲して連続した湾曲部１０として形成されている。
【００３４】
本発明に係るディスクカートリッジ１は、挿入端側となる一の側面である前面を他の面に比し大きく湾曲したほぼ半円の円弧状部７としているので、カートリッジ挿脱口を介してスロットイン方式により装脱が行われるディスク記録及び／又は再生装置へ挿入への挿入を容易に判別できる。特に、掌内に収納できる程度に小型化したディスクカートリッジ１にあっては、手で握った感覚でも挿入方向の識別を行うことができるので、誤挿入を防止して正確にディスク記録及び／又は再生装置に装着することも可能となる。しかも、このディスクカートリッジ１は、後述するように、スロットイン方式のディスク記録及び／又は再生装置へ挿入操作が容易となるばかりか、確実な挿入操作を実現できる。
【００３５】
更に、本発明に係るディスクカートリッジ１は、挿入端側をほぼ半円の円弧状部７とし、更に加えて円弧状部７と対向する背面も湾曲部１０としているので、収納する光ディスク２に対し一層の小型化が実現されている。
【００３６】
ここで、互いに突き合わせ結合されてカートリッジ本体５を構成する上下ハーフ３，４を更に具体的に説明する。
【００３７】
ここで用いられる上下ハーフ３，４は、ポリカーボネート樹脂やＡＢＳ樹脂等の合成樹脂材料をモールド成型して形成される。
【００３８】
カートリッジ本体５の下面側を構成する下ハーフ４の中央部には、図４及び図５に示すように、カートリッジ本体５に収納した光ディスク２の中心部に形成したセンター穴１１及びその周縁を外方に臨ませる円形の中央開口部１２が形成されている。中央開口部１２は、ディスクカートリッジ１が装着されるディスク記録及び／又は再生装置側に設けられたディスク回転駆動機構の一部を構成する例えばターンテーブルが進入する。すなわち、中央開口部１２は、光ディスク２を回転駆動させるための機構の一部が進入する駆動用開口部として機能する。
【００３９】
また、下ハーフ４には、図２乃至図５に示すように、記録及び／又は再生用開口部を構成するヘッド部用開口部１３が形成されている。ヘッド部用開口部１３は、カートリッジ本体５の一方の側面８側に位置し、中央開口部１２に近接した位置から側面８に亘って矩形状に形成されている。すなわち、ヘッド部用開口部１３は、カートリッジ本体５に収納された光ディスク２の信号記録領域の一部を内外周に亘って外方に臨ませる足る大きさの矩形状に形成されている。ここで、ヘッド部用開口部１３は、図４に示すように、一方の側面８に位置する側を開放して形成されている。このように、ヘッド部用開口部１３の側面８側が開放されることにより、光ディスク２の最外周位置までヘッド部の走査領域とすることができるので、光ディスク２の信号記録領域を大きくでき、光ディスク２の記録容量を大きくすることができる。また、ヘッド部用開口部１３は、中央開口部１２に連続することなく、中央開口部１２との間に連接部を残して形成されているので、下ハーフ４の機械的強度を維持することができる。
【００４０】
下ハーフ４に突き合わせ結合されてカートリッジ本体５の上面側を構成する上ハーフ３の光ディスク２と対向する面は、図１に示すように、開口部等が設けられることなく平坦な面とされている。
【００４１】
そして、上下ハーフ３，４の突き合わせ面側には、互いに突き合わせ結合されることによってカートリッジ本体４の外周壁１５を構成する立ち上がり周壁１６，１７が形成されている。各立ち上がり周壁１６，１７は、図５及び図６に示すように、上下ハーフ３，４の外周縁に沿って形成されている。各立ち上がり周壁１６，１７のうち、上下ハーフ３，４の半円の円弧状部７を構成する領域に位置する部分の突き合わせ面側には、相対係合する複数の係合凹部１８と係合突部１９とが形成されている。これら係合凹部１８及び係合突部１９は、円弧状部７の最も突出した左右方向の中央位置に一対設け、これら係合凹部１８及び係合突部１９を中心にして左右に対称に２組ずつ設けられている。
【００４２】
ここで、係合凹部１８は、上ハーフ３側に設けられ、係合突部１９は、下ハーフ４側に設けられる。係合凹部１８は、図７に示すように、上ハーフ３側の立ち上がり周壁１６の内周面側を切り欠くことによって形成されている。また、係合突部１９は、下ハーフ４側の立ち上がり周壁１７の先端部に突設されている。そして、係合突部１９の先端部には、図７に示すように、溶着用リブ２０が突設されている。
【００４３】
なお、上下ハーフ３，４の湾曲部１０を構成する領域に位置する立ち上がり周壁１６，１７の先端部側には、図８に示すように、相対係合する係合段部１６ａ及び係合突部１７ａが形成されている。係合段部１６ａは、上ハーフ３側に設けられて、係合突部１７ａは、下ハーフ４側に設けられている。そして、係合段部１６ａは、上ハーフ３側の立ち上がり周壁１６の内周面側を切り欠くことによって形成され、係合突部１７ａは、下ハーフ４側の立ち上がり周壁１７の先端部に突設されている。そして、係合突部１７ａの先端部には、図８に示すように、溶着用リブ２０ａが突設されている。溶着用リブ２０ａは、図５に示すように、係合突部１７ａの先端に適宜間隔を隔て複数設けられている。
【００４４】
各立ち上がり周壁１６，１７は、係合凹部１８と係合突部１９とを相対係合し、更に係合段部１６ａと係合突部１７ａとを相対係合して突き合わせ、次いで、溶着用リブ２０，２０ａを溶融することにより、図９及び図１０に示すように、互いに溶着されてカートリッジ本体５の外周壁１５を構成する。立ち上がり周壁１６，１７の溶着は、溶着用リブ２０，２０ａに超音波を印加し、これら溶着用リブ２０、２０ａを溶融することによって行われる。
【００４５】
また、上下ハーフ３，４の相対向する内面側には、図５及び図６に示すように、互いに突き合わされてディスク収納部６を構成する円弧状の収納部形成壁２１，２２が形成されている。これら収納部形成壁２１，２２は、カートリッジ本体５の湾曲部１０を構成する背面側に位置して形成され、カートリッジ本体５の前面側の円弧状部７を構成する立ち上がり周壁１６，１７に連続するような円弧状に形成されている。これら収納部形成壁２１，２２と立ち上がり周壁１６，１７とは、互いに突き合わせられて円形のディスク収納部６を形成する。収納部形成壁２１，２２と立ち上がり周壁１６，１７は、ディスク収納部６に収納された光ディスク２の外周囲を囲むように形成されているので、ディスク収納部６に収納された光ディスク２の収納位置を規制すると共に、ディスク収納部６への異物の進入を防止して光ディスク２の保護を図るディスク保護壁としても機能する。
【００４６】
更に、下ハーフ４の上ハーフ３と対向する内面側には、図５に示すように、中央開口部１２を囲むようにして、リング状のディスク支持突部２３が形成されている。また、上ハーフ３の下ハーフ４と対向する内面側にも、図６に示すように、リング状のディスク支持突部２４が形成されている。このディスク支持突部２４は、下ハーフ４側のディスク支持突部２３に対向する位置に設けられる。これらディスク支持突部２３，２４は、ディスク収納部６に収納された光ディスク２の内周側の非信号記録領域を支持し、信号記録領域が直接上下ハーフ３，４の内面に接触することを防止し、光ディスク２の保護を図るようにしている。
【００４７】
なお、上ハーフ３側に形成されるディスク支持突部２４は、下ハーフ４側のディスク支持突部２３よりやや小径に形成されている。
【００４８】
更に、下ハーフ４には、図５及び図１１に示すように、このディスクカートリッジ１をディスク記録及び／又は再生装置に装着したとき、装置側に設けた位置決めピンが係合する第１及び第２の位置決め孔２５，２６がそれぞれ形成された第１及び第２の筒状部２７，２８が形成されている。これら第１及び第２の筒状部２７，２８は、図３及び図４に示すように、湾曲部１０を構成する背面側の両側に位置して設けられる。すなわち、第１及び第２の筒状部２７，２８は、図５に示すように、収納部形成壁２２とカートリッジ本体５の湾曲部１０を構成する背面側の立ち上がり周壁１７により囲まれた左右の各領域にそれぞれ設けられている。
【００４９】
ここで、第１の筒状部２７に設けられる第１の位置決め孔２５は、断面円形の孔として形成されている。これは、ディスク記録及び／又は再生装置側の断面円形の位置決めピンと相対係合することにより、ディスクカートリッジ１のカートリッジ装着部への装着基準位置を規定するようにするためである。第１の筒状部２７は、内部に形成される第１の位置決め孔２５の形状に合わせて断面円形の筒状に形成されている。また、第２の位置決め孔２６は、第１の位置決め孔２５を基準にして装置側の位置決めピンが係合したとき、この位置決め孔２６に係合する位置決めピンの係合位置を調整し得るように、図３及び図４に示すように、カートリッジ本体５の各側面８，９に亘る幅方向を長径とする長孔として形成されている。そして、第２の筒状部２８は、内部に形成される第２の位置決め孔２６の形状に合わせて断面長円形の筒状に形成されている。
【００５０】
なお、収納部形成壁２２と立ち上がり周壁１７により囲まれた領域のうち、第２の筒状部２８が設けられた領域内に位置して係合突部２９が設けられている。この係合突部２９は、図５に示すように、第２の筒状部２８が設けられる位置よりカートリッジ本体５の他方の側面９を構成する立ち上がり周壁１７側に位置して形成されている。すなわち、係合突部２９は、図５に示すように、第１の筒状部２７に対し、第２の筒状部２８より更に離間した位置に設けられている。
【００５１】
ここで、第１の筒状部２７は、上下ハーフ３，４の突き合わせ位置を位置決めする第１の位置決め部を構成し、係合突部２９は、第２の位置決め部を構成する。
【００５２】
一方、上ハーフ３の内面側には、下ハーフ４に設けた第１の筒状部２７と相対係合する第１の当接支持部３０が設けられると共に、第２の筒状部２８に突き当て当接される第２の当接支持部３１が設けられている。ここで、第１及び第２の当接支持部３０，３１は、筒状に形成されている。
【００５３】
更に、上ハーフ３には、係合突部２９と相対係合する係合受け部３２とが設けられている。
【００５４】
ここで、第１の筒状部２７と係合突部２９は、図１１に示すように、立ち上がり周壁１７の先端より突出する高さに形成され、各立ち上がり周壁１６，１７を突き合わせて上下ハーフ３，４を結合したとき、立ち上がり周壁１６と等しい高さに形成された第１の当接支持部３０及び係合受け部３２に相対係合する。
【００５５】
なお、第２の筒状部２８は、立ち上がり周壁１７と等しい高さに形成され、各立ち上がり周壁１６，１７を突き合わせて上下ハーフ３，４を結合したとき、立ち上がり周壁１６と等しい高さに形成された第２の当接支持部３１の先端に当接して支持される。
【００５６】
ところで、上ハーフ３側に設けられる第１及び第２の当接支持部３０，３１は、図６に示すように、収納部形成壁２１とカートリッジ本体５の湾曲部１０を構成する背面側の立ち上がり周壁１６により囲まれた左右の各領域にそれぞれ設けられている。そして、係合受け部３２は、第２の当接支持部３１が設けられた領域内に位置し、図６に示すように、第２の当接支持部３１が設けられる位置よりカートリッジ本体５の他方の側面９を構成する立ち上がり周壁１６側に位置して形成されている。
【００５７】
ここで、第１の筒状部２７と第１の当接支持部３０は、相対係合されたとき、上下ハーフ３，４の突き合わせ基準位置を構成する。すなわち、上ハーフ３は、下ハーフ４に設けた第１の筒状部２７を係合基準位置として下ハーフ４に結合される。したがって、第１の筒状部２７と第１の当接支持部３０とは、図１１に示すように、互いに密嵌するような径をもって形成されている。すなわち、筒状の第１の筒状部２７の外径と、第１の筒状部２７の先端部が係合する第１の当接支持部３０の内周径とは、ほぼ等しい径とされている。
【００５８】
なお、第１の当接支持部３０の内部には、図１１に示すように、第１の筒状部２７の先端部が当接する当接段部３３が形成されている。第１の筒状部２７は、先端部を当接段部３３に当接させて第１の当接支持部３０に係合される。第１の当接支持部３０は、内部に当接段部３３を形成しているので、上ハーフ３の平面側に位置する基部側の肉厚を厚くでき、機械的な強度を大きくすることができる。
【００５９】
なお、第１の当接支持部３０は、内部に当接段部を設けることなく均一な内径を有する筒状に形成したものであってもよい。この場合には、第１の筒状部２７は、上ハーフ３の平面に当接して支持される。
【００６０】
また、係合受け部３２は、カートリッジ本体５の各側面８，９に亘る図６中矢印Ｘ１方向の幅方向を長径とした楕円形に形成され、第１の筒状部２７と第１の当接支持部３０とを基準として上下ハーフ３，４を突き合わせたとき、係合突部２９の幅方向の係合位置を調整可能としている。
【００６１】
上述のように構成された上下ハーフ３，４を突き合わせ結合してカートリッジ本体５を形成するには、下ハーフ５を位置決め治具に位置決め支持し、図１２に示すように、下ハーフ４側の第１の筒状部２７に上ハーフ３側の第１の当接支持部３０を相対係合すると共に、下ハーフ４側の係合突部２９に上ハーフ３側の係合受け部３２とを相対係合し、更に、下ハーフ４側の複数の係合突部１９に上ハーフ３側の複数の係合凹部１８をそれぞれ相対係合して互いの立ち上がり周壁１６，１７を突き合わせる。
【００６２】
ところで、上ハーフ３側の係合凹部１８が相対係合する下ハーフ４側の係合突部１９のうち、円弧状部７の最も突出した中央位置に設けられた係合突部１９は、上下ハーフ３，４を突き合わせ結合するとき、円弧状部７の円弧に沿う図１２中矢印Ｘ２方向の位置決めを図る第３の位置決め部として機能するように形成されている。すなわち、第３の位置決め部を構成する係合突部１９は、上ハーフ３側の係合凹部１８と相対係合したとき、間隙が小さくなるように形成されている。すなわち、第３の位置決め部を構成する係合突部１９とこの係合突部１９に係合する係合凹部１９とは、図１３に拡大して示すように、相対係合したときの間隙Ｄ１が小さくなるように精度良く形成される。すなわち、この係合突部１９と、この係合突部１９に係合する係合凹部１８は、互いに密接して係合し得るように、ほぼ同一の幅Ｗ１，Ｗ２をもって形成されている。このように、第３の位置決め部を構成する係合突部１９に係合凹部１８が密接して係合するので、上下ハーフ３，４は、円弧状部７の円弧に沿う方向の位置決めが図られて結合される。
【００６３】
なお、上記第３の位置決め部を構成する係合突部１９とこの係合突部１９に係合する係合凹部１８以外の他の係合突部１９及び係合凹部１８は、相対係合したときの位置ずれを吸収し得る大きさに形成されている。すなわち、係合突部１９を係合凹部１８の幅に比し小さく、若しくは係合凹部１８を係合突部１９に対し大きく形成されている。
【００６４】
ここで、係合突部１９と係合凹部１８は、逆の関係で設けるようにしてもよい。すなわち、上ハーフ３側に係合突部を設け、下ハーフ４側に係合凹部１８を設けるようにしてもよい。この場合には、下ハーフ４側の係合凹部１８が第３の位置決め部を構成する。
【００６５】
上述のように、上下ハーフ３，４は、第１の筒状部２７を突き合わせ基準位置として突き合わせられる。そして、係合突部２９と係合受け部３２とが相対係合することにより、図１２中矢印Ｘ１方向の幅方向と直交する矢印Ｙ１方向のカートリッジ本体５の前後方向の位置決めが図られ、更に、第３の位置決め部を構成する一対の係合凹部１８と係合突部１９が相対係合することにより、記録及び／又は再生装置への挿入端側となる円弧状部７側の突き合わせ位置の位置決めが図られる。
【００６６】
このように互いに位置決めが図られて突き合わせられた上下ハーフ３，４は、超音波溶着装置を用いて、係合突部１９及び立ち上がり周壁１７の先端部に設けられた溶着用リブ２０を溶融することにより、一体的に結合されてカートリッジ本体５を構成する。
【００６７】
本発明において、上下ハーフ３，４は、カートリッジ本体５の湾曲部１０とされた背面側の両側に設けられた第１及び第２の位置決め部と、前面側の円弧状部７の中央部に設けられた第３の位置決め部の３点で位置決めがされて突き合わせ結合されてなるので、上下ハーフ３，４の位置ずれを小さくして高精度に形成できる。特に、第１〜第２の位置決め部は、カートリッジ本体５の外周側に位置し、互いの位置間を大きく隔て配置されているので、上下ハーフ３，４の位置ずれを一層小さくして高精度に形成できる。その結果、このカートリッジ本体５を用いたディスクカートリッジ１は、高精度なものとなり、記録及び／又は再生装置への装脱も円滑に行うことが可能となるばかりか、外観も良好なものとなる。
【００６８】
また、本発明に係るディスクカートリッジ１は、下ハーフ４側の第２の位置決め部を構成する係合突部２９を第１の筒状部２７に対し大きく離間して設けるようにしているので、上下ハーフ３，４の突き合わせ位置の位置ずれの発生を一層小さくすることができる。特に、第１の筒状部２７と係合突部２９との間に位置する第２の位置決め孔２６の周囲に設けられた第２の筒状部２８と筒状の第２の当接支持部３１との当接位置のずれを小さくし、確実な突き合わせを実現することができる。
【００６９】
更に、本発明に係るディスクカートリッジ１においては、上下ハーフ３，４が位置ずれの発生を抑えて結合されるので、上下ハーフ３，４に設けられる収納部形成壁２１，２２も位置ずれを抑えて突き合わせることができ、ディスク収納部６を高精度に形成できる。その結果、ディスク収納部６内に光ディスク２に損傷を与えてしまうような突起等の発生を抑えることができ、光ディスク２の確実な保護を図ることができる。
【００７０】
更にまた、本発明は、カートリッジ本体５の外周壁１５を構成する立ち上がり周壁１６，１７がディスク収納部６を構成するようにしているので、ディスクカートリッジ１の一層の小型化が実現できる。
【００７１】
ところで、本発明に係るディスクカートリッジ１において、下ハーフ４側に形成した第２の位置決め孔２６が形成された第２の筒状部２８の外周面は、図５に示すように、連結部２８ａ，２８ｂを介して下ハーフ４側の立ち上がり周壁１７及び収納部形成壁２２に連結して形成されている。このように、第２の筒状部２８が立ち上がり周壁１７及び収納部形成壁２２に連結されることにより、第２の筒状部２８及びその周縁の強度が増強される。ここで、第２の筒状部２８は、立ち上がり周壁１７及び収納部形成壁２２と同じ高さに形成されて、これら立ち上がり周壁１７及び収納部形成壁２２に連結されているので、第２の筒状部２８の垂直度を維持でき、下ハーフ４の第２の筒状部２８が形成された部分の強度を向上することができる。
【００７２】
また、下ハーフ４側に形成した第１の位置決め孔２５が形成された第１の筒状部２７の外周面は、図５に示すように、連結部２７ａを介して下ハーフ４側の収納部形成壁２２に連結して形成されている。このように、一方の側のみが収納部形成壁２２に連結された場合であっても、第１の筒状部２７及びその周縁の強度が増強される。ここで、第１の筒状部２７は、図１１に示すように、収納部形成壁２２より高く形成されて、この収納部形成壁２２に連結されているので、第１の筒状部２７の垂直度を維持でき、下ハーフ４の第１の筒状部２７が形成された部分の強度を向上することができる。
【００７３】
また、上ハーフ３側に形成した第１及び第２の筒状部２７，２８が当接する筒状の第１及び第２の当接支持部３０，３１の外周面は、図６に示すように、連結部３０ａ，３０ｂ及び３１ａ，３１ｂを介して上ハーフ３側の立ち上がり周壁１６及び収納部形成壁２１にそれぞれ連結して形成されている。このように、第１及び第２の当接支持部３０，３１が立ち上がり周壁１６及び収納部形成壁２１に連結されることにより、第１及び第２の当接支持部３０，３１及びその周縁の強度が増強される。ここで、第１及び第２の当接支持部３０，３１は、図１１に示すように、立ち上がり周壁１６及び収納部形成壁２１と同じ高さに形成されて、これら立ち上がり周壁１６及び収納部形成壁２１に連結されているので、
これら第１及び第２の当接支持部３０，３１の垂直度を維持でき、上ハーフ３の第１及び第２の当接支持部３０，３１が形成された部分の強度を向上することができる。
【００７４】
そして、本発明に係るディスクカートリッジ１においては、上下ハーフ３，４を突き合わせ結合したとき、第１及び第２の筒状部２７，２８と上ハーフ３側の第１及び第２の当接支持部３０，３１とが突き合わせて当接されて一連の筒状部を構成するので、第１及び第２の筒状部２７，２８に形成された第１及び第２の位置決め孔２５，２６の深さＤ１，Ｄ２が、図１１に示すように、カートリッジ本体５の厚さにほぼ相当する深さにすることができる。しかも、第１及び第２の筒状部２７，２８は、上ハーフ３側の第１及び第２の当接支持部３０，３１とが突き合わせて当接されて一連の筒状部を構成すので、カートリッジ本体５の平面に対する垂直度が維持でき、ディスク記録及び／又は再生装置側の位置決めピンと第１及び第２の位置決め孔２５，２６との正確な係合が実現可能となる。その結果、ディスクカートリッジ１は、ディスク記録及び／又は再生装置に正確な位置決めを図った装着ができ、しかも、装着操作時に損傷の発生を抑え安全に装着操作を行うことができる。
【００７５】
更に、第１及び第２の位置決め孔２５，２６は、カートリッジ本体５の内部に対し閉塞されているので、位置決めピンが収納部形成壁２１，２２に当接することも防止できるので、ディスク収納部６に収納した光ディスク２の確実な保護を図ることができる。
【００７６】
更にまた、本発明に係るディスクカートリッジ１は、ディスク記録及び／又は再生装置側の位置決めピンが係合する第１及び第２の位置決め孔２５，２６が形成された部分の強度が増強されているので、位置決めピンが第１及び第２の位置決め孔２５，２６の周縁に当接した場合にであっても、容易に損傷を受けるようなことが防止できる。
【００７７】
上述のように構成されたカートリッジ本体５には、図１、図２及び図３に示すように、ヘッド部用開口部１３を開閉するシャッタ部材３５が取り付けられる。このシャッタ部材３５は、薄い金属板を打ち抜き折り曲げて形成され、若しくは合成樹脂材料を形成して形成されたものであって、図２及び図３及びに示すように、ヘッド部用開口部１３を閉塞する足るに大きさの矩形状に形成したされ平板状のシャッタ部３６と、このシャッタ部３６の基板部側に形成された断面コ字状に形成されたカートリッジ支持部３７とを備える。シャッタ部３６の先端部には、カートリッジ本体５側に取り付けられるシャッタガイド部材３８により支持されるガイド支持部３９が設けられている。ガイド支持部３９は、図１４及び図１５に示すように、シャッタ部３７の先端部をカートリッジ本体５側に向かうように折り曲げて形成されている。
【００７８】
ところで、シャッタ部材３５は、カートリッジ本体５を構成する上ハーフ３側に形成されたスライドガイド部４１をカートリッジ支持部３７により支持することによってヘッド部用開口部１３を開閉する図１及び図２中矢印Ａ方向又は矢印Ｂ方向に移動可能に支持される。スライドガイド部４１は、ヘッド部用開口部１３を開閉するシャッタ部材３５の移動範囲に亘って上ハーフ３に形成されている。このスライドガイド部４１は、上ハーフ３に形成される立ち上がり周壁１６の一部に形成されており、シャッタ部材３５をカートリッジ本体５の一方の側面８の範囲内で支持するように形成されている。
【００７９】
そして、シャッタ部材３５に設けられるカートリッジ支持部３７は、図１４及び図１５に示すように、シャッタ部３６の基端部から垂直に立ち上がり形成され連結片４２を有し、この連結片４２の先端部にシャッタ部３６側に向かって折り曲げられた第１の支持片４３が設けられている。また、連結片４２の一方の側には、第１の支持片４３が形成された位置より一段低い位置でＬ字状に折り曲げされた第２の支持片４４が設けられている。第２の支持片４４の先端部には、第１の支持片４３側に突出するように係合片４５が折り曲げ形成されている。また、連結片４２の他方の側には、第２の支持片４４と同一の高さ位置に位置されて、シャッタ部３６側に向かって突出するようにバネ係止片４６が形成されている。
【００８０】
このバネ係止片４６には、カートリッジ本体５に取り付けられたシャッタ部材３５をヘッド部用開口部１３を閉塞する方向又は開放する方向に選択的に移動付勢する二方向付勢機構を構成する捩りコイルバネ４８の一部が係止される。
【００８１】
そして、バネ係止片４６の基端部側には、第１の支持片４３側に向かって突出するように係合片４９が折り曲げ形成されている。
【００８２】
一方、シャッタ部材３５が移動可能に支持されるスライドガイド部４１は、図１４及び図１６に示すように、上ハーフ３に設けられた立ち上がり周壁１６の一部に形成されている。このスライドガイド部４１は、図１４に示すように、シャッタ部材３５の移動方向と平行に立ち上がり周壁１６の外側面に形成されたガイド溝５１と、図１６に示すように、第１及び第２の支持片４３，４４とによって挟持されるように支持されるガイドレール部５２とから構成されている。
【００８３】
そして、ガイドレール部５２の外方側に臨む面は、図１７に示すように、上ハーフ３の平面に垂直な面とされている。この面は、スライドガイド部４１を構成する連結片４２の内側面と対向して、シャッタ部材３５の移動方向をガイドする第１のガイド壁５３を構成している。また、ガイドレール部５２の内方側に臨む面は、第１のガイド壁５３と平行な面とされている。この面は、第２の支持片４４及びバネ係止片４６と対向して、シャッタ部材３５の移動方向をガイドする第２のガイド壁５４を構成している。更に、レール部５２の先端面は、第１及び第２のガイド壁５３，５４に垂直な面とされている。この面は、第２の支持片４４及びバネ係止片４６と対向して、シャッタ部材３５の移動方向をガイドする第３のガイド壁５５を構成している。更に、レール部５２の第１の案内壁５４から第２の案内壁５５に亘る先端側のコーナ部は傾斜面部５６とされている。この傾斜面部５６は、シャッタ部材３５に設けた係合片４５，４９をレール部５２の第２のガイド壁５４側に係合され際の逃げ部として機能する。
【００８４】
このように構成されたスライドガイド部４１にシャッタ部材３５を支持するには、シャッタ部３６を下ハーフ４に設けたヘッド部用開口部１３上に延在するように配置し、次いで、カートリッジ支持部３７をスライドガイド部４１に係合させる。そして、カートリッジ保持部３７をスライドガイド部４１に支持させるには、まず、第１の支持片４３をガイド溝５１に係合し、次いで、係合片４５，４９を傾斜面部５６に沿わせながら、ガイドレール部５２の第２のガイド壁５４側に臨ませる。このように、第１の支持片５３をガイド溝５１に係合し、係合片４５，４９を第２のガイド壁５４側に臨ませることにより、シャッタ部材３５は、図１３及び図１４に示すように、第１の支持片４３と第２の支持片４４及びバネ係止片４６の一部によりガイドレール部５２を挟持するようにして上ハーフ３に移動可能に支持される。
【００８５】
このとき、スライドガイド部４１は、連結片４２が第１のガイド壁５３に対向し、係合片４５，４９が第２のガイド壁５４に対向し、第２の支持片４４及びバネ係止片４６が第３のガイド壁５５に対向するので、シャッタ部材３５の移動方向及びこの移動方向と直交するカートリッジ本体５の厚さ方向の移動が規制される。その結果、シャッタ部材３５は、大きなガタ付を達成させることなく、スライドガイド部４１に安定した状態でガイドされて移動可能となる。
【００８６】
また、シャッタ部材３５は、図１６及び図１７に示すように、上ハーフ３に設けられた立ち上がり周壁１６の先端部側に形成したスライドガイド部４１に支持されるので、カートリッジ本体５の上面側を構成する上ハーフ３の平面側は、図１に示すように、大きく開放された面することができる。すなわち、シャッタ部材３５は、上ハーフ３の平面側にスライドガイド部４１等の一部を臨ませることなくカートリッジ本体５に取り付けられている。
【００８７】
ところで、本発明に係るディスクカートリッジ１において、シャッタ部材３５は、カートリッジ本体５の外周面から少なくとも突出しないように取り付けられる。具体的には、シャッタ部材３５は、カートリッジ本体５の外周面との面一となるように取り付けられる。そこで、下ハーフ４側のシャッタ部３６が移動する領域には、図２及び図３に示すように、凹状のシャッタスライド部５８が形成されている。シャッタスライド部５８は、シャッタ部３６をカートリッジ本体５の表面から突出させないに足る深さをもって形成されている。また、スライドガイド部４１の連結片４２が移動するカートリッジ本体５の一方の側面８側にも、シャッタスライド部５８に連続するスライド部用凹部５９が形成されている。このスライド部用凹部５９も、連結片４２をカートリッジ本体５の表面から突出させないに足る深さをもって形成されている。
【００８８】
なお、本例のディスクカートリッジ１においては、ヘッド部用開口部１３を挟んでシャッタスライド部５８と対向する側には、図２及び図３に示すように、ヘッド部用開口部１３に連続してヘッド部用凹部６１が形成されている。ヘッド部用凹部６１は、本発明に係るディスクカートリッジ１が装着されるディスク記録及び／又は再生装置側のヘッド部を光ディスク２に一層近接させるためのものであって、シャッタスライド部５９より深く形成されている。
【００８９】
そして、本発明に係るディスクカートリッジ１においては、上述したように、シャッタ部３６の先端部に形成したガイド支持部３９を支持し、シャッタ部３６のカートリッジ本体５からの浮き上がりを防止し、シャッタ部材３５の安定した移動をするシャッタガイド部材３８が設けられている。このシャッタガイド部材３８は、薄い板状部材を打ち抜いて形成されるものであって、上下ハーフ３，４を構成する材料と同種のポリカーボネート樹脂等の合成樹脂により形成されたものが用いられる。
【００９０】
シャッタガイド部材３８は、ヘッド部用開口部１３を開閉するシャッタ部３６の先端側のスライドガイド部３９を支持するものであるので、図３及び図１６に示すように、カートリッジ本体５の一方の面を構成する下ハーフ４の外方側の平面であって、円形の中央開口１２とヘッド部用開口部１３との間に位置し、少なくともシャッタ部材３５の移動範囲に亘ってスライドガイド部３９を支持するに足る長さに形成される。
【００９１】
そして、シャッタガイド部材３８は、少なくとも下ハーフ４の外方側の平面から突出しないようにほぼ面一となるように取り付けられる。
【００９２】
そして、シャッタ部材３５は、支持部スライド用凹部６３内にシャッタ部３６の先端側に形成したガイド支持部３９を進入させ、このガイド支持部３９がガイド部材取付用凹部６２内に取り付けられたシャッタガイド部材３８により支持されてカートリッジ本体５に取り付けられる。
【００９３】
本発明が適用されたディスクカートリッジ１にあっては、カートリッジ本体５を高精度に形成することができるので、このカートリッジ本体５に取り付けられるシャッタ部材３５も、カートリッジ本５に対して安定して移動でき、確実にヘッド部用開口部１３の開閉を行うことができる。
【００９４】
更に、上述したディスクカートリッジ１は、シャッタ部材３５が上ハーフ３側に支持されて下ハーフ４側のヘッド部用開口部１３を開閉するように移動する構成を備えるが、上下ハーフ３，４が互いに位置ずれを抑えて結合されているので、上ハーフ３側に支持されシャッタ部材３５により下ハーフ４側のヘッド部用開口部１３を確実に開閉することができる。
【００９５】
ところで、本発明が適用されたディスクカートリッジ１においては、ヘッド部用開口部１３を開閉するシャッタ部材３５の確実な移動を実現し、更に、シャッタ部材３５を、ヘッド部用開口部１３を開放した位置又は閉塞した位置に確実に保持するようにする二方向付勢機構６８が設けられている。この二方向付勢機構６８は、シャッタ部材３５のカートリッジ本体５に対する移動位置に応じて、シャッタ部材３５をヘッド部用開口部１３を開放する方向又は閉塞する方向に移動付勢する機能を備え、シャッタ開閉機構を構成する。
【００９６】
この二方向付勢機構６８は、シャッタ部材３５を、ヘッド部用開口部１３を開放する方向及び閉塞する方向の二方向に選択的に移動付勢する二方向付勢部材を用いて構成される。二方向付勢部材には、具体的には、図１４、図１５及び図１８に示すように、捩りコイルバネ４８が用いられる。捩りコイルバネ４８は、シャッタ部材３５とカートリッジ本体５との間に懸架される。この捩りコイルバネ４８は、図１８に示すように、シャッタ部材３５がヘッド部用開口部１３を開放する方向に移動する側に位置して配設されている。すなわち、捩りコイルバネ４８は、シャッタ部材３５がヘッド部用開口部１３を閉塞する位置から開放する位置に向かう上流側に位置して配設されている。
【００９７】
二方向付勢機構６８を構成する捩りコイルバネ４８は、一方のアーム部４８ａの先端をバネ係止片４６の先端部に形成した係合部７０に係止させ、他方のアーム部４８ｂの先端に設けた環状部７１を下ハーフ４の内面に突設した支持ピン７２に係合させて取り付けられている。
【００９８】
なお、上ハーフ３側には、下ハーフ４側の支持ピン７２に対向して、この支持ピン７２の先端が係合する筒状の係合部７８が設けられている。この係合部７８は、支持ピン７２が係合することによって、支持ピン７２に係合された捩りコイルバネ４８の環状部７１の抜け止めを図る。
【００９９】
この捩りコイルバネ４８は、シャッタ部材３５がヘッド部用開口部１３を閉塞する位置にあるときには、ヘッド部用開口部１３を閉塞した状態を維持するように図１８中矢印Ｂ方向に付勢している。この捩りコイルバネ４８は、ディスクカートリッジ１がディスク記録及び／又は再生装置に装着され、シャッタ部材３５がカートリッジ本体に５に対しヘッド部用開口部１３を開放する方向の図１８中矢印Ａ方向に相対移動していくと、固定されていない中心部に形成したコイル部４８ｃの位置がシャッタ部材３５の移動方向の矢印Ａ方向に移動していく。捩りコイルバネ４８は、コイル部４８ｃが更に矢印Ａ方向に移動し、シャッタ部材３５の移動方向側に位置する支持ピン７２の位置を超えると付勢方向が反転される。捩りコイルバネ４８は、付勢方向が反転されると、シャッタ部材３５を図１７中矢印Ａ方向に移動するように付勢し、図１９に示すように、ヘッド部用開口部１３を開放する方向の矢印Ａ方向に移動してヘッド部用開口部１３を開放した位置に保持する。
【０１００】
シャッタ部材３５がヘッド部用開口部１３を開放した位置に保持されたディスクカートリッジ１をディスク記録及び／又は再生装置から取り出すイジェクト操作を行うと、シャッタ部材３５はカートリッジ本体５に対し図１９中矢印Ｂ方向に移動していき、中心のコイル部４８ｃも同方向の矢印Ｂ方向に移動していく。捩りコイルバネ４８は、シャッタ部材３５が更に矢印Ｂ方向方向に移動し、コイル部４８ｃがシャッタ部材３５の移動方向側に位置する支持ピン７２の位置を超えると付勢方向が反転される。捩りコイルバネ４８は、付勢方向が反転されると、シャッタ部材３５を図１８中矢印Ｂ方向に移動するように付勢し、ヘッド部用開口部１３を閉塞する方向に移動してヘッド部用開口部１３を閉塞した位置に保持する。
【０１０１】
このように二方向付勢機構６８を構成する捩りコイルバネ４８により付勢されたシャッタ部材３５は、ヘッド部用開口部１３を閉塞した位置及び開放した位置のそれぞれの位置に捩りコイルバネ４８の付勢力を受けて支持されるので、確実にヘッド部用開口部１３を閉塞し又は開放した状態を維持できる。
【０１０２】
上述したディスクカートリッジ１は、二方向付勢機構６８を構成する捩りコイルバネ４８により、シャッタ部材３５をヘッド部用開口部１３を閉塞した位置に保持するようにしているが、更に、シャッタ部材ロック機構を設けるようにしてもよい、このシャッタロック機構は、シャッタ部材３５のバネ係止片４６にバネにより回動付勢されたロックレバーを設け、このロックレバーをディスクカートリッジ１のディスク記録及び／又は再生装置への装脱に関連して回動操作することにより、シャッタ部材３５をロックし、又はロック解除するように構成される。
【０１０３】
また、本発明に係るディスクカートリッジ１は、シャッタ部材３５が取り付けられたカートリッジ本体５の一方の側面８には、図１及び図１４に示すように、ディスク記録及び／又は再生装置側に設けられたシャッタ部材解放操作片が進入するガイド溝７３が設けられいる。
【０１０４】
また、カートリッジ本体５の円弧状部７の相対向する側面８，９側には、図１及び図２に示すように、このディスクカートリッジ１が装着されるディスク記録及び／又は再生装置側に設けられるカートリッジローディング機構の一部が係合するローディング用の係合凹部７５，７６が設けられている。
【０１０５】
更にまた、カートリッジ本体５の円弧状部７の他方の側面９側に位置する部分には、図２に示すように、記録及び／又は再生装置側に設けられるイジェクト機構の一部が係合するイジェクト用の係合凹部７７が設けられている。
【０１０６】
更にまた、カートリッジ本体５の側面８，９、あるいは底面には、収納される光ディスク２の種類を識別するための識別孔や識別凹部が必要に応じて設けられる。
【０１０７】
上述した説明では、挿入端側を半円状に形成し、小型化を図ったディスクカートリッジに適用した例を挙げて説明したが、本発明は、上述したディスクカートリッジに限られるものではなく、カートリッジ本体を矩形状に形成されたもの、更に、カートリッジ本体の上下の両面に記録及び／又は再生用の開口部を設けたディスクカートリッジにもそのまま適用し、上述したディスクカートリッジと同様の利点を得ることができる。
【０１０８】
更に、ディスク状記録媒体は、光ディスクに限られるものではなく、磁気ディスクを含む他のディスク状記録媒体を収納したディスクカートリッジに適用し、上記したような利点を得ることができるものである。
【図面の簡単な説明】
【０１０９】
【図１】本発明に係るディスクカートリッジを上ハーフ側から見た斜視図である。
【図２】本発明に係るディスクカートリッジを下ハーフ側から見た斜視図である。
【図３】本発明に係るディスクカートリッジを下ハーフ側から見た平面図である。
【図４】カートリッジ本体を構成する下ハーフの外面を示す平面図である。
【図５】下ハーフの内面を示す平面図である。
【図６】上ハーフの内面を示す平面図である。
【図７】上ハーフと下ハーフを突き合わせる状態を示し、上下ハーフの立ち上がり周壁を突き合わせた状態を示す断面図である。
【図８】上ハーフと下ハーフを突き合わせる状態を示し、上下ハーフの立ち上がり周壁及び収納部形成壁を突き合わせた状態を示す断面図である。
【図９】上下ハーフの立ち上がり周壁を突き合わせ、溶着して一体化した状態を示す断面図である。
【図１０】上下ハーフの立ち上がり周壁を突き合わせ溶着し、収納部形成壁を突き合わせた状態を示す断面図である。
【図１１】上下ハーフを突き合わせ結合してカートリッジ本体を構成した状態を示す断面図である。
【図１２】上下ハーフが突き合わせ結合される部分を示す平面図である。
【図１３】上下ハーフの立ち上がり周壁の先端部にそれぞれ形成された係合突部と係合凹部とを拡大して示す平面図である。
【図１４】カートリッジ本体に取り付けられるシャッタ部材をカートリッジ本体と共に示す斜視図である。
【図１５】シャッタ部材と、このシャッタ部材を付勢する捩りコイルバネとを示す斜視図である。
【図１６】シャッタ部材をカートリッジ本体に取り付けた状態を示す断面図である。
【図１７】上ハーフに設けたスライドガイド部にシャッタ部材を支持させた状態を示す断面図である。
【図１８】二方向付勢機構により開閉方向に付勢されるシャッタ部材を示し、ヘッド部用開口部を閉塞した状態を示す平面図である。
【図１９】ヘッド部用開口部をシャッタ部材により閉塞した状態を示す平面図である。
【符号の説明】
【０１１０】
１  ディスクカートリッジ、  ２  光ディスク、  ３  上ハーフ、  ４  下ハーフ、  ５  カートリッジ本体、  ７  円弧状部、  １２  中央開口部、  １３  ヘッド部用開口部、  １６，１７  立ち上がり周壁、  ２１，２２  収納部形成壁  ２５  第１の位置決め孔、  ２６  第２の位置決め孔、  ２７  第１の筒状部、  ２７ａ  連結部、  ２８  第２の筒状部、  ２８ａ，２８ｂ  連結部
【図１】
2005209272.tif 000003
【図２】
2005209272.tif 000004
【図３】
2005209272.tif 000005
【図４】
2005209272.tif 000006
【図５】
2005209272.tif 000007
【図６】
2005209272.tif 000008
【図７】
2005209272.tif 000009
【図８】
2005209272.tif 000010
【図９】
2005209272.tif 000011
【図１０】
2005209272.tif 000012
【図１１】
2005209272.tif 000013
【図１２】
2005209272.tif 000014
【図１３】
2005209272.tif 000015
【図１４】
2005209272.tif 000016
【図１５】
2005209272.tif 000017
【図１６】
2005209272.tif 000018
【図１７】
2005209272.tif 000019
【図１８】
2005209272.tif 000020
【図１９】
2005209272.tif 000021